(57)【要約】【課題】既設のベランダの手摺りに、後付けで取り付けて、外観上見苦しさや圧迫感がなく、また強度的優れているベランダにおける転落防止および飛降防止手摺り用笠木装置を提供する。【解決手段】既設のベランダの手摺り２を構成する支持枠体４の上枠材５の上方から被冠固定する、断面略逆凹状をした被冠固定板６の上面に、所定間隔を有して複数本の転落・飛降防止柱７を立設固定すると共に、該転落・飛降防止柱７の上端に装飾部材１０を一体に連設固定して形成する。【選択図】図１
2011006986.tif 000002
【特許請求の範囲】
【請求項１】
既設のベランダの手摺りを構成する支持枠体の上枠材の上方から被冠固定する、断面略逆凹状をした被冠固定板の上面に、所定間隔を有して複数本の転落・飛降防止柱を立設固定すると共に、該転落・飛降防止柱の上端に装飾部材を一体に連設固定したことを特徴とするベランダにおける転落防止および飛降防止手摺り用笠木装置。
【発明の詳細な説明】
【技術分野】
【０００１】
本発明は、一般住宅やマンション等の住宅のベランダの手摺り上に取付けるベランダにおける転落防止および飛降防止手摺り用笠木装置であって、特に危険防止の機能の外に、外観上も見苦しさや圧迫感のないベランダにおける転落防止および飛降防止手摺り用笠木装置に関するものである。
【背景技術】
【０００２】
近年、一般住宅やマンション等のベランダから幼児が転落する事故や、高層マンションのベランダの手摺りを乗り越えて飛降り自殺する事故が多発している。そして、これら痛ましい事故を防止する手段として、ベランダの手摺り上に危険防止用の補助柵を取付ける等、種々の対策が講じられている。そして、これら対策につき、過去の特許文献を遡及検索したところ、下記の特許文献１に開示された「ベランダでの児童など転落防止用補助柵」が公知である。
【０００３】
前記特許文献１に開示された転落防止用補助柵は、ベランダの手摺りや囲いの上部に、複数本の柱材を間隔を有して枠材に固定して形成された嵩上げ用棚を、一体に取付けて形成されているが、柱材が方形状の枠材に固着されており、特に該方形状の枠材を構成する上方に横設された横設部材があるため、外観上見苦しく、且つ圧迫感があるという課題があった。
【先行技術文献】
【特許文献】
【０００４】
【特許文献１】特開２００８−３８４６２号公報
【発明の概要】
【発明が解決しようとする課題】
【０００５】
本発明は、前記課題を解決すべくなされたものであって、従来のように外観上見苦しさや圧迫感がなく、また強度的に従来品と何等特色のないベランダにおける転落防止および飛降防止手摺り用笠木装置を提供しようとするものである。
【課題を解決するための手段】
【０００６】
本発明は、既設のベランダの手摺りを構成する支持枠体の上枠材の上方から被冠固定する、断面略逆凹状をした被冠固定板の上面に、所定間隔を有して複数本の転落・飛降防止柱を立設固定すると共に、該転落・飛降防止柱の上端に装飾部材を一体に連設固定するという手段を採用することにより、上記課題を解決した。
【発明の効果】
【０００７】
本発明装置は、既設のベランダ用の手摺りの上枠材に簡単に取付けることができ、転落・飛降防止柱は１本１本がそれぞれ独立して立設固定されると共に、その上端部は連結固定されていないために圧迫感がなく、また上端には装飾部材が固定されていて美感上も優れており、更に強度的にも優れているため、前記転落・飛降防止柱が折損したりすることがなく、転落・飛降防止機能を充分に果たすことができる。
【図面の簡単な説明】
【０００８】
【図１】本発明転落防止および飛降防止手摺り用笠木装置を既設のベランダ用手摺りに取付けた状態を示す正面図である。
【図２】本発明転落防止および飛降防止手摺り用笠木装置を既設のベランダ用手摺りに取付ける状態を示す要部の斜視図である。
【図３】本発明転落防止および飛降防止手摺り用笠木装置の組立分解正面図である。
【実施例】
【０００９】
本発明の実施例を図面に基づいて詳細に説明する。本発明は、一般住宅、またはマンションの２階以上の高層階に設置された既設のベランダの手摺りの上に、後付けで取付けることができるようにしたベランダにおける転落防止および飛降防止手摺り用笠木装置である。
【００１０】
本発明は、一般住宅やマンションにおける既設のベランダの手摺りの上に、後付けで取付けることができるようにしたものであるが、前記手摺りの上枠材の長さは、規格化されておらず一定していないので、本発明は、短い長さの笠木装置とすることにより、既設の手摺りに合わせて、複数本継ぎ足したりあるいはカットしたりして、既設のすべの手摺りに適合することができるよう形成されている。
【００１１】
すなわち、本発明笠木装置１は、既設のベランダの手摺り２を構成する複数本の防護柱３を固定した支持枠体４の上枠材５の上方から被冠固定することができるように、断面逆凹状をした被冠固定板６の上面に、所定間隔を有して複数本の転落・飛降防止柱７を立設固定して形成されている。
【００１２】
前記転落・飛降防止柱７は、前記断面逆凹状をした被冠固定板６上に、支持柱８を立設固定した基板９を、所定間隔を有して複数個固定する一方、前記各支持柱８に上方より嵌挿固定できるようにして形成されている。
【００１３】
前記転落・飛降防止柱７は、前記支持柱８にその下方部が嵌挿できるように筒状に形成されると共に、該転落・飛降防止柱７の上端には、美感上見苦しさがないように、特に限定する必要はないが、例えば、図に示すような膨大部を備えた半球状体等より成る装飾部材１０を一体に連設固定して形成することが推奨されている。
【００１４】
本発明に係るベランダにおける転落防止および飛降防止手摺り用笠木装置の各部材は、アルミニウムや硬質合成樹脂により形成されると共に、既設の手摺り２に被冠固定材６を被冠固定する場合、強固に固定するために、ビス１１止めすることが推奨される。前記のように、既設の手摺り２の上枠材５に被冠固定板６を被冠して、該被冠固定板６の上面より前記上枠材５にビス１１で一体に固定することにより、被冠固定板６と上枠材５の巾が一致しなくても、取付けに当って何等問題はない。
【００１５】
前記のような構成より成る本発明ベランダにおける転落防止および飛降防止手摺り用笠木装置は、特に限定する必要はないが、好ましくは、被冠固定板６の長さが８５０〜９００ｍｍ程度、転落・飛降防止柱７の高さが４５０ｍｍ程度、そして該各転落・飛降防止柱７間の間隔が２５０〜３００ｍｍ程度とすることが推奨される。
【００１６】
そして、前記のように、被冠固定板６の長さを８５０〜９００ｍｍ程度とすることにより、既設の手摺り２の上枠材５が長くても、また短くても、複数本継ぎ足したり、あるいは切断したりして対応することができる。
【００１７】
本発明ベランダにおける転落防止および飛降防止手摺り用笠木装置を、既設のベランダ用の手摺り２の上枠材５に取付けると、転落・飛降防止柱７は１本１本がそれぞれ独立して支持柱６に嵌挿固定して立設されると共に、その上端部は連結固定されていないために圧迫感がなく、またその上端には装飾部材１０が固定されていて美感上も優れており、更に、該転落・飛降防止柱７が基板９に立設された支持柱６に嵌挿固定され、強度的にも優れているため、前記転落・飛降防止柱７が折損したりすることがなく、転落・飛降防止機能を充分に果たすことができる。
【符号の説明】
【００１８】
１  転落防止および飛降防止手摺り用笠木装置
２  手摺り
３  防護柱
４  支持枠体
５  上枠材
６  被冠固定板
７  転落・飛降防止柱
８  支持柱
９  基板
１０  装飾部材
１１  ビス
【図１】
2011006986.tif 000003
【図２】
2011006986.tif 000004
【図３】
2011006986.tif 000005